(57)【要約】      （修正有）【課題】ユーザが所望する情報を適切なサイズで容易に表示することが可能な情報表示装置を提供する。【解決手段】情報表示装置は、コンテンツ画像を表示画面上の第１表示領域（１６）に表示させる第１表示制御部と、前記表示画面上の第２表示領域（１７）に地図画像を複数のアイコン画像（１８ａ〜１８ｃ、１９ａ）と共に表示させる第２表示制御部と、前記第１表示領域を拡大または縮小するための第１入力操作及び前記地図画像に対するユーザからの第２入力操作を受け付ける入力操作受付部と、前記第１入力操作に基づき、前記複数のアイコン画像のうち、前記第２入力操作を受け付けるための第１アイコン画像（１８ａ〜１８ｃ）に対しては、前記アイコン画像の表示形態を変更するための第１表示形態処理を行わず、前記第２入力操作を受け付けるためのものではない第２アイコン画像（１９ａ）に対しては、前記第１表示形態処理を行う、表示形態処理部とを有する。【選択図】図１０
2020135627.tif 000002
【特許請求の範囲】
【請求項１】
コンテンツ画像を表示画面上の第１表示領域に表示させる第１表示制御部と、
前記表示画面上の第２表示領域に地図画像を複数のアイコン画像と共に表示させる第２表示制御部と、
前記第１表示領域を拡大または縮小するための第１入力操作及び前記地図画像に対するユーザからの第２入力操作を受け付ける入力操作受付部と、
前記第１入力操作に基づき、前記複数のアイコン画像のうち、
前記第２入力操作を受け付けるための第１アイコン画像に対しては、前記アイコン画像の表示形態を変更するための第１表示形態処理を行わず、
前記第２入力操作を受け付けるためのものではない第２アイコン画像に対しては、前記第１表示形態処理を行う、表示形態処理部と、
を有することを特徴とする情報表示装置。
【請求項２】
前記第１表示形態処理は、前記第２アイコン画像を拡大または縮小するための処理であることを特徴とする請求項１に記載の情報表示装置。
【請求項３】
前記第１表示形態処理は、前記第２アイコン画像の拡大または縮小に伴い、前記関連情報のレイアウトを変更することを特徴とする請求項２に記載の情報表示装置。
【請求項４】
前記関連情報は文字情報であり、
前記第１表示形態処理は、前記第２アイコン画像上における前記文字情報の文字数を変更する処理であることを特徴とする請求項３に記載の情報表示装置。
【請求項５】
前記表示形態処理部は、前記第１入力操作に応じて、表示位置を変更するための第４表示形態処理を前記第１アイコン画像に対して行うことを特徴とする請求項１乃至４のいずれかに記載の情報表示装置。
【請求項６】
前記表示形態処理部は、前記第１入力操作に基づき、前記コンテンツ画像の表示形態を変更するための第２表示形態処理を前記コンテンツ画像に対して行うことを特徴とする請求項１乃至５のいずれかに記載の情報表示装置。
【請求項７】
前記表示形態処理部は、前記第１入力操作に基づき、前記地図画像の表示形態を変更するための第３表示形態処理を前記地図画像に対して行うことを特徴とする請求項１乃至６のいずれかに記載の情報表示装置。
【請求項８】
コンピュータによって実行される情報表示方法であって、
コンテンツ画像を表示画面上の第１表示領域に表示させるステップと、
前記表示画面上の第２表示領域に地図画像を複数のアイコン画像と共に表示させるステップと、
前記第１表示領域を拡大または縮小するための第１入力操作及び前記地図画像に対するユーザからの第２入力操作を受け付けるステップと、
前記第１入力操作に基づき、前記複数のアイコン画像のうち、
前記第２入力操作を受け付けるための第１アイコン画像に対しては、前記アイコン画像の表示形態を変更するための第１表示形態処理を行わず、
前記第２入力操作を受け付けるためのものではない第２アイコン画像に対しては、前記第１表示形態処理を行うステップと、
を有することを特徴とする情報表示方法。
【請求項９】
コンピュータに、
コンテンツ画像を表示画面上の第１表示領域に表示させるステップと、
前記表示画面上の第２表示領域に地図画像を複数のアイコン画像と共に表示させるステップと、
前記第１表示領域を拡大または縮小するための第１入力操作及び前記地図画像に対するユーザからの第２入力操作を受け付けるステップと、
前記第１入力操作に基づき、前記複数のアイコン画像のうち、
前記第２入力操作を受け付けるための第１アイコン画像に対しては、前記アイコン画像の表示形態を変更するための第１表示形態処理を行わず、
前記第２入力操作を受け付けるためのものではない第２アイコン画像に対しては、前記第１表示形態処理を行うステップと、を実行させるためのプログラム。
【請求項１０】
コンピュータに、
コンテンツ画像を表示画面上の第１表示領域に表示させるステップと、
前記表示画面上の第２表示領域に地図画像を複数のアイコン画像と共に表示させるステップと、
前記第１表示領域を拡大または縮小するための第１入力操作及び前記地図画像に対するユーザからの第２入力操作を受け付けるステップと、
前記第１入力操作に基づき、前記複数のアイコン画像のうち、
前記第２入力操作を受け付けるための第１アイコン画像に対しては、前記アイコン画像の表示形態を変更するための第１表示形態処理を行わず、
前記第２入力操作を受け付けるためのものではない第２アイコン画像に対しては、前記第１表示形態処理を行うステップと、
を実行させるためのプログラムを記憶した記憶媒体。
【発明の詳細な説明】
【技術分野】
【０００１】
本発明は、情報を表示する情報表示装置、情報表示方法及びプログラムに関する。
【背景技術】
【０００２】
例えば、経路を案内する経路案内装置において、地図情報と共に３次元的に表現された交差点画像を表示することが行われている。
【０００３】
このような経路案内装置としては、例えば、交差点の複雑度を判定し、その判定結果に応じて地図情報と共に３次元的に表現された交差点画像を表示する表示装置が特許文献１に開示されている。
【先行技術文献】
【特許文献】
【０００４】
【特許文献１】特開２０１８−１４６２７１号公報
【発明の概要】
【発明が解決しようとする課題】
【０００５】
しかしながら、特許文献１の表示装置は、既定サイズの交差点画像を地図情報と共に表示するのみである。また、複数の情報が表示される場合、適切な表示サイズで表示することができないことが課題の一例として挙げられる。
【０００６】
本発明は上記した点に鑑みてなされたものであり、ユーザが所望する情報を適切なサイズで容易に表示することが可能な情報表示装置を提供すること課題の１つとする。
【課題を解決するための手段】
【０００７】
本願請求項１に記載の情報表示装置は、コンテンツ画像を表示画面上の第１表示領域に表示させる第１表示制御部と、前記表示画面上の第２表示領域に地図画像を複数のアイコン画像と共に表示させる第２表示制御部と、前記第１表示領域を拡大または縮小するための第１入力操作及び前記地図画像に対するユーザからの第２入力操作を受け付ける入力操作受付部と、前記第１入力操作に基づき、前記複数のアイコン画像のうち、前記第２入力操作を受け付けるための第１アイコン画像に対しては、前記アイコン画像の表示形態を変更するための第１表示形態処理を行わず、前記第２入力操作を受け付けるためのものではない第２アイコン画像に対しては、前記第１表示形態処理を行う、表示形態処理部と、を有することを特徴とする。
【０００８】
本願請求項８に記載の情報表示方法は、コンピュータによって実行される情報表示方法であって、コンテンツ画像を表示画面上の第１表示領域に表示させるステップと、前記表示画面上の第２表示領域に地図画像を複数のアイコン画像と共に表示させるステップと、前記第１表示領域を拡大または縮小するための第１入力操作及び前記地図画像に対するユーザからの第２入力操作を受け付けるステップと、前記第１入力操作に基づき、前記複数のアイコン画像のうち、前記第２入力操作を受け付けるための第１アイコン画像に対しては、前記アイコン画像の表示形態を変更するための第１表示形態処理を行わず、前記第２入力操作を受け付けるためのものではない第２アイコン画像に対しては、前記第１表示形態処理を行うステップと、を有することを特徴とする。
【０００９】
本願請求項９に記載のプログラムは、コンピュータに、コンテンツ画像を表示画面上の第１表示領域に表示させるステップと、前記表示画面上の第２表示領域に地図画像を複数のアイコン画像と共に表示させるステップと、前記第１表示領域を拡大または縮小するための第１入力操作及び前記地図画像に対するユーザからの第２入力操作を受け付けるステップと、前記第１入力操作に基づき、前記複数のアイコン画像のうち、前記第２入力操作を受け付けるための第１アイコン画像に対しては、前記アイコン画像の表示形態を変更するための第１表示形態処理を行わず、前記第２入力操作を受け付けるためのものではない第２アイコン画像に対しては、前記第１表示形態処理を行うステップと、を実行させる。
【００１０】
本願請求項１０に記載の記憶媒体は、コンピュータに、コンテンツ画像を表示画面上の第１表示領域に表示させるステップと、前記表示画面上の第２表示領域に地図画像を複数のアイコン画像と共に表示させるステップと、前記第１表示領域を拡大または縮小するための第１入力操作及び前記地図画像に対するユーザからの第２入力操作を受け付けるステップと、前記第１入力操作に基づき、前記複数のアイコン画像のうち、前記第２入力操作を受け付けるための第１アイコン画像に対しては、前記アイコン画像の表示形態を変更するための第１表示形態処理を行わず、前記第２入力操作を受け付けるためのものではない第２アイコン画像に対しては、前記第１表示形態処理を行うステップと、を実行させるためのプログラムを記憶する。
【図面の簡単な説明】
【００１１】
【図１】自動車の運転席から見た自動車の前方を示す図である。
【図２】情報表示装置の機能ブロックを示すブロック図である。
【図３】図１のタッチパネルの画面における表示態様の一例を示す図である。
【図４】図１のタッチパネルの画面における表示態様の一例を示す図である。
【図５】図１のタッチパネルの画面における表示態様の一例を示す図である。
【図６】コンテンツ画像がユーザのタッチ操作によって拡大又は縮小される態様の一例を説明する図である。
【図７】実施例１に係る経路探索装置による情報表示処理を示すフローチャートである。
【図８】図７に示されるサブルーチンを示すフローチャートである。
【図９】実施例２に係る経路探索装置による情報表示処理を示すフローチャートである。
【図１０】図１のタッチパネルの画面における表示態様の一例を示す図である。
【図１１】図１のタッチパネルの画面における表示態様の一例を示す図である。
【図１２】図１のタッチパネルの画面における表示態様の一例を示す図である。
【図１３】図１のタッチパネルの画面における表示態様の一例を示す図である。
【図１４】実施例３に係る経路探索装置による情報表示処理を示すフローチャートである。
【図１５】図１４に示されるサブルーチンを示すフローチャートである。
【発明を実施するための形態】
【実施例１】
【００１２】
本発明の実施例１の情報表示装置について説明する。以下の説明では、情報表示装置が現在地から目的地までの経路を探索する経路探索装置としての機能を有する場合を説明する。
【００１３】
図１は、自動車Ｍの前席付近を示している。図１に示すように、情報表示装置１０は、自動車Ｍに搭載されている。尚、自動車Ｍは、移動体の一例である。移動体は、自転車、オートバイ、飛行機、船舶、移動する人が所持する携帯端末等、自動車以外の移動体であっても良い。
【００１４】
情報表示装置１０は、例えば、自動車ＭのダッシュボードＤＳの内部に搭載されている装置である。情報表示装置１０は、自動車ＭのダッシュボードＤＳに設けられているタッチパネル２０に地図情報や経路案内情報等の表示を表示させる。
【００１５】
タッチパネル２０は、例えば、矩形状に形成されている表示画面としての画面２０ａを有する。タッチパネル２０は、ユーザに対して表示を行う表示機能と、ユーザからの入力操作を受け付ける入力機能とを有している表示入力装置である。タッチパネル２０には、例えば、液晶タッチパネルなどが用いられる。
【００１６】
タッチパネル２０は、例えば、ユーザの指によって行われるタップ、スワイプなどのタッチ操作を受け付けるインターフェースであるＮＵＩ（Natural User Interface）を有する。
【００１７】
尚、タップは、ユーザの指先がタッチパネル２０の画面２０ａを１回叩くタッチ操作である。また、スワイプは、ユーザの指がタッチパネル２０の画面２０ａに触れ、その指先を画面２０ａ上でスライドさせるタッチ操作である。ここで、タッチ操作は、ユーザの指がタッチパネル２０の画面２０ａに触れてから当該ユーザの指が画面から離れるまでのユーザによる操作として説明する。また、タッチ操作は、タッチパネル２０の画面２０ａの表示態様を変化させる１のタッチ操作であるものとして説明する。
【００１８】
ここで、自動車ＭのフロントガラスＦＧから見てタッチパネル２０の近位側をタッチパネル２０の画面２０ａの上側とし、自動車ＭのフロントガラスＦＧから見てタッチパネル２０の遠位側をタッチパネル２０の画面２０ａの下側として説明する。また、図１において、運転席側をタッチパネル２０の画面２０ａの右側とし、助手席側をタッチパネル２０の画面２０ａの左側として説明する。
【００１９】
図２は、情報表示装置１０の機能ブロックを示している。図２に示すように、情報表示装置１０において、入出力部１１、通信部１２、記憶部１３及び制御部１４の各々は、システムバス１５を介して互いに接続されている。
【００２０】
上述のように、タッチパネル２０は、地図情報や経路案内情報等の表示をその画面２０ａに表示する。入出力部１１は、タッチパネル２０に接続されているインターフェース部である。従って、情報表示装置１０は、入出力部１１を介してタッチパネル２０の画面２０ａに情報を表示させることが可能である。また、情報表示装置１０は、入出力部１１を介してタッチパネル２０の画面２０ａに入力された入力情報を受け付けることが可能である。
【００２１】
通信部１２は、インターネット等ネットワーク（図示せず）を介してサーバ装置等の外部機器（図示せず）に接続するためのインターフェース部である。情報表示装置１０は、通信部１２を介してサーバ装置とデータ通信可能に接続されている。例えば、情報表示装置１０は、通信部１２を介してサーバ装置が保有するデータを自装置に送信することを要求し、当該要求したデータを受信することが可能である。
【００２２】
記憶部１３は、例えばハードディスク装置やＳＳＤ（Solid State Drive）、フラッシュメモリなどにより構成されている。記憶部１３は、ＢＩＯＳ（Basic Input Output System）、ＯＳ（Operation System）、アプリケーションソフトウェア等の各種プログラムを記憶する。
【００２３】
記憶部１３は、コンテンツとしてのアプリケーションプログラム１３Ａ及びコンテンツとしてのアプリケーションプログラム１３Ｂを保持している。また、記憶部１３は、自動車Ｍが走行する道路の地図情報を記憶した地図ＤＢ（Data base）１３Ｃを保持している。
【００２４】
アプリケーションプログラム１３Ａは、例えば、ストリーミング等によって配信されている動画、音楽等のＡＶ（Audio Visual）の鑑賞を行うことが可能なプログラムである。
【００２５】
アプリケーションプログラム１３Ｂは、例えば、インスタントメッセンジャーを代表とするＳＮＳ（Social Network Service）のメッセージ等を画面表示することが可能なプログラムである。
【００２６】
尚、これらのアプリケーションプログラム１３Ａ及びアプリケーションプログラム１３Ｂは、例示であり、記憶部１３に格納されるアプリケーションプログラムを適宜変更してもよい。例えば、記憶部１３には、駐車場の混雑状況をリアルタイムに表示することが可能なアプリケーションプログラムが格納されるようにしてもよい。
【００２７】
制御部１４は、演算処理装置としてのＣＰＵ（Central Processing Unit）１４ａと、主記憶装置としてのＲＯＭ（Read Only Memory）１４ｂと、ＲＡＭ（Random Access Memory）１４ｃと、を有するコンピュータによって実現される。ＣＰＵ１４ａは、ＲＯＭ１４ｂや記憶部１３から処理内容に応じたプログラムを読み出してＲＡＭ１４ｃに展開し、展開したプログラムと協働して、各種機能を実現する。
【００２８】
制御部１４は、記憶部１３から地図ＤＢ１３Ｃから地図情報を読み出して、当該地図情報に基づいてタッチパネル２０の画面２０ａに地図画像を表示することが可能である。また、タッチパネル２０から入力された目的地までの経路情報を生成し、生成した経路情報をタッチパネル２０の画面２０ａに表示することが可能である。
【００２９】
制御部１４は、記憶部１３からアプリケーションプログラム１３Ａ及びアプリケーションプログラム１３Ｂを実行して、複数のコンテンツ画像を生成することが可能である。言い換えれば、複数のコンテンツ画像の各々は、複数のアプリケーションプログラム１３Ａ及びアプリケーションプログラム１３Ｂの各々が実行されることによって生成される。
【００３０】
制御部１４は、タッチパネル２０の画面２０ａに対してなされるユーザのタッチ操作を受け付けることが可能である。従って、制御部１４は、画面２０ａの第１表示領域であるコンテンツ表示領域を拡大又は縮小するためのタッチ操作（第１入力操作）を受け付ける入力操作受付部として機能する。
【００３１】
尚、制御部１４は、例えばタッチパネル２０からの入力信号に基づいて、ユーザの指がタッチパネル２０の画面２０ａに触れたこと及び指がタッチパネル２０の画面２０ａから離れたことを検知することが可能である。また、制御部１４は、例えばタッチパネル２０からの入力信号に基づいて、ユーザによるタッチ操作のスライド方向を検知することが可能である。
【００３２】
制御部１４は、上記した地図画像及び複数のコンテンツ画像を画面２０ａに同時に表示させることが可能である。具体的には、複数のコンテンツ画像を表示するコンテンツ表示領域と第２表示領域である地図画像を表示する地図表示領域を含む表示をタッチパネル２０の画面２０ａに表示させることが可能である。従って、制御部１４は、複数のアプリケーションプログラムに夫々対応するコンテンツ画像を画面２０ａ上のコンテンツ表示領域に選択的に表示させる第１表示制御部として機能する。また、制御部１４は、ユーザのタッチ操作に応じて、画面２０ａ内におけるコンテンツ表示領域を複数の既定のサイズの間で拡大又は縮小させることが可能である。
【００３３】
制御部１４は、画面２０ａのコンテンツ表示領域を拡大又は縮小するためのタッチ操作に基づき、コンテンツ画像の表示形態を変更するための第２表示形態処理を行うことが可能である。制御部１４は、画面２０ａのコンテンツ表示領域を拡大又は縮小するためのタッチ操作に基づき、地図画像の表示形態を変更するための第３表示形態処理を行うことが可能である。従って、制御部１４は、表示形態処理部として機能する。
【００３４】
図３は、タッチパネル２０の画面２０ａの表示態様の一例を示している。図３には、タッチパネル２０に加えてタッチパネル２０を操作するユーザの指ＰＦが示されている。図中の矢印は、ユーザの指ＰＦのスライド方向を示している。
【００３５】
図３に示すように、画面２０ａの左側には、アプリケーションプログラム１３Ａ及びアプリケーションプログラム１３Ｂが実行されることによって生成されたコンテンツ画像を表示するコンテンツ表示領域１６が配されている。すなわち、画面２０ａに表示される表示は、複数のコンテンツ画像が表示される第１表示領域としてのコンテンツ表示領域１６を含む。
【００３６】
画面２０ａの右側には、コンテンツ表示領域１６に隣接する他の表示領域としての地図表示領域１７が配されている。すなわち、画面２０ａには、境界ＢＯを境に左側にコンテンツ表示領域１６が表示され右側に地図表示領域１７が表示されている。
【００３７】
地図表示領域１７には、地図画像が表示されている。また、地図表示領域１７には、現在地から目的地までの経路が表示されていてもよい。尚、タッチパネル２０の画面２０ａには、コンテンツ表示領域１６を含む表示がなされていればよく、例えば、コンテンツ表示領域１６のみが表示されるようにしてもよい。
【００３８】
コンテンツ表示領域１６には、配列された２つの表示枠１６ａ、１６ｂが表示されている。２つの表示枠１６ａ、１６ｂは、上下に並んで配されている。すなわち、２つの表示枠１６ａ、１６ｂはタッチパネル２０の画面２０ａの上側から下側に向かって列状に配列されている。
【００３９】
表示枠１６ａ及び表示枠１６ｂには、互いに異なるコンテンツ画像が表示され得る。例えば、図３の例のように、上側の表示枠１６ａには、アプリケーションプログラム１３Ａが実行されることによって生成されたコンテンツ画像が表示され得る。また、下側の表示枠１６ｂには、アプリケーションプログラム１３Ｂが実行されることによって生成されたコンテンツ画像が表示され得る。
【００４０】
図３の例において、コンテンツ表示領域１６は、第１の既定サイズで表示されている。例えば、第１の既定サイズである場合において、コンテンツ表示領域１６は、画面２０ａの幅の１/３のであるＷ１の幅を有する。尚、第１の既定サイズは、実施態様に応じて自由に設定することができる。
【００４１】
本実施例の情報表示装置１０においては、タッチパネル２０に対するユーザの指ＰＦによるタッチ操作によって、境界ＢＯが左右方向に移動することでコンテンツ表示領域１６の大きさが変化する。具体的には、例えば、ユーザの指ＰＦによる図中矢印の方向、すなわち左右方向のスワイプ操作に応じて、境界ＢＯが左右方向に移動することでコンテンツ表示領域１６の大きさが変化する。コンテンツ表示領域１６の大きさは、スワイプ操作における指ＰＦの移動に追従して逐次変化する。
【００４２】
尚、コンテンツ表示領域１６の大きさを変化させるためのタッチ操作において、ユーザの指ＰＦのタッチ位置は、境界ＢＯ上であってもよいし、コンテンツ表示領域１６内の任意の位置であってもよい。
【００４３】
本実施例においては、画面２０ａの左側にコンテンツ表示領域１６があるので、例えば、ユーザが右方向に向かって指ＰＦをスワイプするタッチ操作を行うと、境界ＢＯが右に移動してコンテンツ表示領域１６が拡大される。具体的には、例えば、ユーザがコンテンツ表示領域１６と地図表示領域１７との境界を跨ぐように右方向に指ＰＦをスワイプすると、コンテンツ表示領域１６が拡大させられる。
【００４４】
また、ユーザが左方向に向かって指ＰＦをスワイプするタッチ操作を行うと、境界ＢＯが右に移動してコンテンツ表示領域１６が縮小される。具体的には、例えば、ユーザがコンテンツ表示領域１６と地図表示領域１７との境界を跨ぐように左方向に指ＰＦをスワイプすると、コンテンツ表示領域１６が縮小させられる。すなわち、ユーザが左右方向に向かって指ＰＦをスワイプするタッチ操作は、コンテンツ表示領域を拡大又は縮小するための第１入力操作である。
【００４５】
２つの表示枠１６ａ，１６ｂのサイズは、コンテンツ表示領域１６の拡大又は縮小に伴って画面２０ａの左右方向に拡大又は縮小される。また、２つの表示枠１６ａ，１６ｂに表示されているコンテンツ画像は、表示枠１６ａ，１６ｂの拡大又は縮小に伴って、そのサイズが拡大又は縮小される。尚、表示枠１６ａ、１６ｂの拡大又は縮小に伴って、コンテンツ画像の表示態様が変化させられてもよい。また、地図表示領域１７のサイズも、コンテンツ表示領域１６の拡大又は縮小に伴って画面２０ａの左右方向に拡大又は縮小される。
【００４６】
図４は、タッチパネル２０の画面２０ａの表示態様の一例を示している。図４に示すように、コンテンツ表示領域１６は、上記第１の既定サイズよりも大きい第２の既定サイズで表示されている。例えば、第２の既定サイズのコンテンツ表示領域１６は、画面２０ａの１/２の幅であるＷ２の幅を有する。本実施例において、第２の既定サイズは、画面２０ａの左端から幅Ｗ２を有している。
【００４７】
例えば、表示態様の図３の態様から図４の態様への変化、すなわちコンテンツ表示領域１６の第１の既定サイズから第２の既定サイズへの変化は、指ＰＦの右方向へのスワイプ操作によって生起させられる。また、その逆の変化は、例えば、指ＰＦの左方向へのスワイプ操作によって生起させられる。
【００４８】
図５は、タッチパネル２０の画面２０ａの表示態様の一例を示している。図５においては、コンテンツ表示領域１６が画面２０ａに表示されないクローズ表示が示されている。従って、画面２０ａには、地図表示領域１７のみが表示されている。
【００４９】
例えば、表示態様の図３の態様から図５の態様への変化、すなわちコンテンツ表示領域１６の第１の既定サイズからクローズ表示への変化は、指ＰＦの左方向へのスワイプ操作によって生起させられる。また、その逆の変化は、例えば、指ＰＦの右方向へのスワイプ操作によって生起させられる。
【００５０】
コンテンツ表示領域１６は、指ＰＦによる操作中を除き、図３において示した第１の既定サイズ、図４において示した第２の既定サイズ及び図５において示したクローズ表示の３つの態様でタッチパネル２０の画面２０ａに表示される。同様に、地図表示領域１７も、図３、図４及び図５において示した３つの態様でタッチパネル２０の画面２０ａに表示される。
【００５１】
すなわち、コンテンツ表示領域１６は、指ＰＦによる操作中を除き、予め決められた３つの表示態様のみで表示される。言い換えれば、境界ＢＯは、指ＰＦによる操作中を除き、図３、図４及び図５において示した３つの位置のいずれかにある。
【００５２】
コンテンツ表示領域１６がどの既定の表示態様で表示されるかは、タッチ操作が終了した際のコンテンツ表示領域１６の大きさに応じて行われる。言い換えれば、境界ＢＯは、タッチ操作の終了後、タッチ操作が終了した際の境界ＢＯの位置によって決まる既定の位置に持ち来され、それによってコンテンツ表示領域１６が既定の表示態様になされる。
【００５３】
図６を用いてタッチ操作の終了後の既定の表示態様がどのように決まるかについての例を説明する。図６には、コンテンツ表示領域１６が第１の既定サイズの状態を示している。また、図６には、コンテンツ表示領域１６がどの既定のサイズになるかの基準となるボーダーラインＢＲ１及びＢＲ２が示されている。この例においては、ボーダーラインＢＲ１は、コンテンツ表示領域１６が第１の既定サイズの１１０％のサイズである際の境界ＢＯの位置にある。また、ボーダーラインＢＲ２は、コンテンツ表示領域１６が第１の既定サイズの９０％のサイズである際の境界ＢＯの位置にある。
【００５４】
上述したように、指ＰＦをスライドさせるタッチ操作（以下、スライド操作とする）によって境界ＢＯが移動する。本実施例の情報表示装置１０では、スライド操作の終了時に、すなわち指ＰＦが画面から離れた際に、境界ＢＯがボーダーラインＢＲ１及びＢＲ２に対してどの位置にあるかによって、コンテンツ表示領域１６がどの既定の表示態様になるかが決まる。
【００５５】
例えば、スライド操作の終了時に境界ＢＯがボーダーラインＢＲ１よりも右にある場合、コンテンツ表示領域１６の表示態様は第２の既定サイズに決まる。
【００５６】
例えば、スライド操作の終了時に境界ＢＯがボーダーラインＢＲ１とボーダーラインＢＲ２の間にある場合、コンテンツ表示領域１６の表示態様は第１の既定サイズに決まる。
【００５７】
例えば、スライド操作の終了時に境界ＢＯがボーダーラインＢＲ２よりも左にある場合、コンテンツ表示領域１６の表示態様はクローズ表示に決まる。
【００５８】
このように、スライド操作の最中にコンテンツ表示領域１６が拡大又は縮小され、スライド操作の終了時の境界ＢＯの位置に応じてコンテンツ表示領域１６が既定のサイズに変更される。このスライド操作の最中のコンテンツ表示領域１６の拡大又は縮小の変化単位は、既定の大きさの各々の間の変化単位よりも小さい。
【００５９】
以上のように、ユーザのタッチ操作が終了した際のコンテンツ表示領域１６の大きさに基づいてコンテンツ表示領域１６が拡大又は縮小されることによって、ユーザによって行われたタッチ操作の意図を反映させた表示態様で表示させることが可能となる。
【００６０】
図７は、情報表示装置１０による情報表示処理Ｒ１を示している。図７に示すように、アプリケーションプログラム１３Ａ及びアプリケーションプログラム１３Ｂが実行されると、制御部１４は、各アプリケーションプログラム１３Ａ及びアプリケーションプログラム１３Ｂを起動する（ステップＳ１０１）。
【００６１】
制御部１４は、スッテプＳ１０１において起動された各アプリケーションプログラム１３Ａ及びアプリケーションプログラム１３Ｂが実行されることによって生成されたコンテンツ画像を表示枠１６ａ、１６ｂに表示させる。また、制御部１４は、地図表示領域１７に地図画像を表示させる。すなわち、制御部１４は、表示をタッチパネル２０の画面２０ａに表示させる（ステップＳ１０２）。従って、制御部１４は、複数のコンテンツを表示するコンテンツ表示領域１６を含む表示を画面２０ａに表示させる第１表示制御部として機能する。
【００６２】
画面２０ａのコンテンツ表示領域１６において、ユーザのスワイプするタッチ操作が行われると、制御部１４は、コンテンツ表示領域１６に表示されるコンテンツ画像のサイズを変更する（ステップＳ１０３）。すなわち、コンテンツ表示領域１６は、ユーザのタッチ操作に伴って拡大又は縮小されることが可能である。
【００６３】
従って、制御部１４は、画面２０ａのコンテンツ表示領域を拡大又は縮小するためのタッチ操作に基づき、コンテンツ画像の表示形態を変更するための第２表示形態処理を行う表示形態処理部として機能する。また、画面２０ａのコンテンツ表示領域の拡大又は縮小に伴って、地図画像も拡大又は縮小される。すなわち、制御部１４は、画面２０ａのコンテンツ表示領域を拡大又は縮小するためのタッチ操作に基づき、地図画像の表示形態を変更するための第３表示形態処理を行う表示形態処理部として機能する。
【００６４】
制御部１４は、自動車Ｍのエンジンが停止したかを判定する（ステップＳ１０４）。制御部１４は、ステップＳ１０４の判定において自動車Ｍのエンジンが停止していないと判定した場合（ステップＳ１０４：Ｎ）、ステップＳ１０３のコンテンツ画像サイズ変更処理に戻る。
【００６５】
制御部１４は、ステップＳ１０４の判定において自動車Ｍのエンジンが停止したと判定した場合（ステップＳ１０４：Ｙ）、画面２０ａにおける表示を終了し（ステップＳ１０５）、各アプリケーションプログラム１３Ａ及びアプリケーションプログラム１３Ｂを終了する（ステップＳ１０６）。
【００６６】
図８は、ステップＳ１０３のコンテンツ画像のサイズを変更するサブルーチンＲ２を示している。図８に示すように、制御部１４は、ユーザによるスライド操作があったか否かを判定する（ステップＳ２０１）。ステップＳ２０１の判定において、制御部１４は、コンテンツ表示領域１６を拡大又は縮小させるためのタッチ操作、すなわち、左右方向にスライド操作がなされたか否かを判定する。
【００６７】
制御部１４は、ステップＳ２０１の判定において、ユーザによるスライド操作がなかったと判定した場合（ステップＳ２０１：Ｎ）、処理を終了する。
【００６８】
制御部１４は、ステップＳ２０１の判定において、ユーザによるスライド操作があったと判定した場合（ステップＳ２０１：Ｙ）、当該スライド操作を受け付ける。その際、制御部１４は、スライド操作に追従してコンテンツ表示領域１６及び地図表示領域１７を拡大又は縮小させる。このように、制御部１４は、画面２０ａに対してなされるタッチ操作を受け付ける入力操作受付部として機能する。
【００６９】
制御部１４は、受け付けたスライド操作が終了したか否かを判定する（ステップＳ２０２）。例えば、制御部１４は、ユーザの指ＰＦが画面２０ａから離れたことに基づいて、スライド操作が終了したことを判定する。尚、制御部１４は、ステップＳ２０２の判定において受け付けたスライド操作が終了していないと判定した場合（ステップＳ２０２：Ｎ）、受け付けたスライド操作が終了するまで、ステップＳ２０２の判定を行う。
【００７０】
制御部１４は、ステップＳ２０２の判定において受け付けたスライド操作が終了したと判定した場合（ステップＳ２０２：Ｙ）、タッチ操作の最中のコンテンツ表示領域１６を拡大又は縮小が終了する。
【００７１】
スライド操作が終了した際の境界ＢＯの位置、すなわち、タッチ操作の最後の画面２０ａ上の境界ＢＯの位置がボーダーラインＢＲ１よりも右であるか否かを判定する（ステップＳ２０３）。
【００７２】
制御部１４は、ステップＳ２０３において、境界ＢＯの位置がボーダーラインＢＲ１よりも右であると判定した場合（ステップＳ２０３：Ｙ）、コンテンツ表示領域１６を第２の既定サイズにさせる（ステップＳ２０４）。従って、制御部１４は、第２表示形態処理及び第３表示形態処理を行う表示形態処理部として機能する。
【００７３】
制御部１４は、ステップＳ２０３において、境界ＢＯの位置がボーダーラインＢＲ１よりも左であると判定した場合（ステップＳ２０３：Ｎ）、スライド操作が終了した際の境界ＢＯの位置、すなわち、タッチ操作の最後の画面２０ａ上の境界ＢＯの位置がボーダーラインＢＲ２よりも左であるか否かを判定する（ステップＳ２０５）。
【００７４】
制御部１４は、ステップＳ２０５において、境界ＢＯの位置がボーダーラインＢＲ２よりも左であると判定した場合（ステップＳ２０５：Ｙ）、コンテンツ表示領域１６をクローズ表示にさせる（ステップＳ２０６）。従って、制御部１４は、第２表示形態処理及び第３表示形態処理を行う表示形態処理部として機能する。
【００７５】
制御部１４は、ステップＳ２０５において、境界ＢＯの位置がボーダーラインＢＲ２よりも右であると判定した場合（ステップＳ２０５：Ｎ）、コンテンツ表示領域１６を第１の既定サイズにさせる（ステップＳ２０７）。従って、制御部１４は、第２表示形態処理及び第３表示形態処理を行う表示形態処理部として機能する。
【００７６】
このように、制御部１４は、コンテンツ表示領域１６を拡大又は縮小させるためのスライド操作が終了した際の境界ＢＯの位置、すなわちコンテンツ表示領域１６の大きさに応じてコンテンツ表示領域１６の大きさ及び地図表示領域１７の大きさを予め定めた既定の大きさにする。
【００７７】
尚、本実施例においては、コンテンツ表示領域１６は、第１の既定サイズ、第２の既定サイズ及びクローズ表示の３つの表示サイズでタッチパネル２０の画面２０ａで表示されることを説明した。しかし、コンテンツ表示領域１６は、３つの表示態様に限定されない。例えば、第１の既定サイズ及び第２の既定サイズの間に既定のサイズを設けて表示態様を増加して実施してもよい。
【００７８】
また、本実施例においては、コンテンツ表示領域１６がどの既定の表示態様で表示されるかは、タッチ操作が終了した際の境界ＢＯの位置によって決めた。しかし、コンテンツ表示領域１６がどの既定の表示態様で表示されるかは、自由に設定することが可能である。例えば、ユーザのスライド操作のスライド量に応じて、コンテンツ表示領域１６がどの既定の表示態様で表示されるかを決めてもよい。
【００７９】
以上のように、本実施例による情報表示装置１０は、コンテンツ表示領域１６がタッチパネル２０の画面２０ａで拡大又は縮小される際に、ユーザのスライド操作が終了した際のコンテンツ表示領域１６の大きさに基づいてコンテンツ表示領域１６の拡大又は縮小を行う。
【００８０】
したがって、コンテンツ表示領域１６が拡大又は縮小されることにより、ユーザが所望する情報を適切なサイズで容易に表示することが可能となる。特に、情報表示装置１０が自動車等の移動体に搭載される場合、ユーザは、運転操作にも注意を払わなければならないため、タッチパネル２０の画面２０ａを注視することが困難である。
【００８１】
このように、ユーザのスライド操作が終了した際のコンテンツ表示領域１６の大きさに基づいてコンテンツ表示領域１６が拡大又は縮小されることによって、ユーザによって行われたタッチ操作の意図を反映させた表示を拡大又は縮小することが可能となる。
【００８２】
それ故、本実施例に係る情報表示装置１０によれば、ユーザは、タッチパネル２０の画面２０ａを注視することなく、容易にコンテンツ表示領域１６を拡大又は縮小させる操作を行うことが可能となる。
【実施例２】
【００８３】
実施例２に係る情報表示装置１０について説明する。実施例２に係る情報表示装置１０は、情報表示処理におけるコンテンツ画像のサイズを変更するサブルーチンが異なる。具体的には、実施例２に係る情報表示装置１０は、ユーザがタッチ操作を終了した時点での指ＰＦの位置によってコンテンツ表示領域１６がどの既定の表示態様になるかが決まる点で、実施例１に係る情報表示装置１０とは異なる。その余の点は、実施例１に係る情報表示装置１０と同一であるので、説明を省略する。
【００８４】
また、コンテンツ表示領域１６は、スライド操作が終了する直前のタッチ操作のスライド方向によってコンテンツ表示領域１６がどの既定の表示態様になるかが決まる。例えば、ユーザがタッチ操作を開始してから一定の期間までは右方向にスワイプするタッチ操作を行い、当該一定期間経過後からタッチ操作の終了までの期間は、左方向にスワイプするタッチ操作を行った場合、コンテンツ表示領域１６は縮小される。
【００８５】
図９は、実施例２に係るステップＳ１０３のコンテンツ画像のサイズを変更するサブルーチンＲ２を示している。図９に示すように、制御部１４は、ユーザによるスライド操作があったか否かを判定する（ステップＳ３０１）。例えば、制御部１４は、ユーザの指ＰＦが画面２０ａに触れたことに基づいてタッチ操作があったことを判定する。また、本実施例においては、制御部１４は、コンテンツ表示領域１６を拡大又は縮小させるためのタッチ操作、すなわち、左右方向になされたスライド操作がなされたか否かを判定する。
【００８６】
制御部１４は、ステップＳ３０１の判定において、ユーザによるスライド操作がなかったと判定した場合（ステップＳ３０１：Ｎ）、処理を終了する。
【００８７】
制御部１４は、ステップＳ３０１の判定において、ユーザによるスライド操作があったと判定した場合（ステップＳ３０１：Ｙ）、当該タッチ操作を受け付ける。その際、制御部１４は、タッチ操作に応じてコンテンツ表示領域１６を拡大又は縮小させる。従って、制御部１４は、画面に対してなされるタッチ操作を受け付ける入力操作受付部として機能する。
【００８８】
制御部１４は、受け付けたスライド操作が終了したか否かを判定する（ステップＳ３０２）。例えば、制御部１４は、ユーザの指ＰＦが画面２０ａから離れたことに基づいて、スライド操作が終了したことを判定する。尚、制御部１４は、ステップＳ３０２の判定において受け付けたスライド操作が終了していないと判定した場合（ステップＳ３０２：Ｎ）、受け付けたスライド操作が終了するまで、ステップＳ３０２の判定を行う。
【００８９】
制御部１４は、ステップＳ３０２の判定において受け付けたスライド操作が終了したと判定した場合（ステップＳ３０２：Ｙ）、スライド操作が終了する直前のタッチ操作のスライドの方向が右側に向かってなされたかを判定する(ステップＳ３０３)。すなわち、制御部１４は、スライド操作が終了する直前のタッチ操作の移動方向に応じて、コンテンツ表示領域１６を拡大又は縮小させるかを決定する。尚、制御部１４は、タッチパネル２０からの入力信号に基づいて、タッチ操作のスライドの方向を判定する。
【００９０】
制御部１４は、ステップＳ３０３の判定において、タッチ操作のスライドの方向が右になされたと判定した場合（ステップＳ３０３：Ｙ）、スライド操作が終了した際のユーザの指ＰＦの位置、すなわち、タッチ操作の最後の画面２０ａ上の指ＰＦの位置がボーダーラインＢＲ１よりも右であるか否かを判定する（ステップＳ３０４）。すなわち、制御部１４は、タッチ操作の最後の画面２０ａ上の指ＰＦの位置に応じて、コンテンツ表示領域１６を拡大させる既定のサイズを決定する。尚、制御部１４は、タッチパネル２０からの入力信号に基づいて、タッチ操作の最後の画面２０ａ上の指ＰＦの位置を判定する。
【００９１】
制御部１４は、ステップＳ３０５において、ユーザの指ＰＦの位置がボーダーラインＢＲ１よりも右であると判定した場合（ステップＳ３０４：Ｙ）、コンテンツ表示領域１６を第２の既定サイズにさせる（ステップＳ３０５）。従って、制御部１４は、第２表示形態処理及び第３表示形態処理を行う表示形態処理部として機能する。
【００９２】
制御部１４は、ステップＳ３０４において、ユーザの指ＰＦの位置がボーダーラインＢＲ１よりも左であると判定した場合（ステップＳ３０４：Ｎ）、コンテンツ表示領域１６を第１の既定サイズにさせる（ステップＳ３０６）。従って、制御部１４は、第２表示形態処理及び第３表示形態処理を行う表示形態処理部として機能する。
【００９３】
制御部１４は、ステップＳ３０３の判定において、タッチ操作のスライドの方向が左になされたと判定した場合（ステップＳ３０３：Ｎ）、スライド操作が終了した際のユーザの指ＰＦの位置、すなわち、タッチ操作の最後の画面２０ａ上の指ＰＦの位置がボーダーラインＢＲ２よりも左であるか否かを判定する（ステップＳ３０７）。すなわち、制御部１４は、タッチ操作の最後の画面２０ａ上の指ＰＦの位置に応じて、コンテンツ表示領域１６を縮小させる既定のサイズを決定する。尚、制御部１４は、タッチパネル２０からの入力信号に基づいて、タッチ操作の最後の画面２０ａ上の指ＰＦの位置を判定する。
【００９４】
制御部１４は、ステップＳ３０７において、ユーザの指ＰＦの位置がボーダーラインＢＲ２よりも左であると判定した場合（ステップＳ３０７：Ｙ）、コンテンツ表示領域１６をクローズ表示にさせる（ステップＳ３０８）。従って、制御部１４は、第２表示形態処理及び第３表示形態処理を行う表示形態処理部として機能する。
【００９５】
制御部１４は、ステップＳ３０７において、ユーザの指ＰＦの位置がボーダーラインＢＲ２よりも右であると判定した場合（ステップＳ３０７：Ｎ）、コンテンツ表示領域１６を第１の既定サイズにさせる（ステップＳ３０９）。従って、制御部１４は、第２表示形態処理及び第３表示形態処理を行う表示形態処理部として機能する。
【００９６】
このように、制御部１４は、タッチ操作が行われた最後の画面２０ａ上の位置に基づいて、コンテンツ表示領域１６を既定のサイズにさせる。
【００９７】
以上のように、本実施例による情報表示装置１０は、コンテンツ表示領域１６がタッチパネル２０の画面２０ａで拡大又は縮小される際に、ユーザのスライド操作が終了した際のコンテンツ表示領域１６の大きさに基づいてコンテンツ表示領域１６の拡大又は縮小を行う。
【００９８】
したがって、コンテンツ表示領域１６が拡大又は縮小されることにより、ユーザが所望する情報を適切なサイズで容易に表示することが可能となる。特に、情報表示装置１０が自動車等の移動体に搭載される場合、ユーザは、運転操作にも注意を払わなければならないため、タッチパネル２０の画面２０ａを注視することが困難である。
【００９９】
このように、本実施例に係る情報表示装置１０によれば、ユーザのタッチ操作の最後の画面２０ａ上の指ＰＦの位置に基づいてコンテンツ表示領域１６が拡大又は縮小されることによって、ユーザによって行われたタッチ操作の意図をより反映させて表示を拡大又は縮小することが可能となる。
【０１００】
また、スライド操作が終了する直前のタッチ操作のスライド方向によってコンテンツ表示領域１６が拡大又は縮小されることが決まることによって、ユーザによって行われたタッチ操作の意図をより反映させて表示を拡大又は縮小することが可能となる。
【実施例３】
【０１０１】
実施例３に係る情報表示装置１０について説明する。実施例３に係る情報表示装置１０は、地図画像上にアイコン画像を表示する点で実施例１及び２に係る情報表示装置１０とは異なる。その余の点は、実施例１及び２に係る情報表示装置１０と同一であるので、説明を省略する。
【０１０２】
また、本実施例に係る情報表示装置１０は、地図画像上に表示されているアイコン画像の表示形態を変更可能である点で、実施例１及び２に係る情報表示装置１０とは異なる。
【０１０３】
ここで、アイコン画像とは、ユーザが地図画像に対して行う入力操作を受け付けるための画像である。アイコン画像には、地図画像に対して実行するための処理がアイコン画像ごとに予め割り振られている。例えば、「広域」と表示されたアイコン画像に対しユーザがタッチ操作を行うことで、地図画像を広域表示、すなわち、地図画像の地図の縮尺を縮小して表示させることが可能となる。
【０１０４】
図１０は、タッチパネル２０の画面２０ａの表示態様の一例を示している。図１０に示すように、画面２０ａの左側には、アプリケーションプログラム１３Ａ及びアプリケーションプログラム１３Ｂが実行されることによって生成されたコンテンツ画像を表示するコンテンツ表示領域１６が配されている。
【０１０５】
コンテンツ表示領域１６には、配列された２つの表示枠１６ａ、１６ｂが表示されている。２つの表示枠１６ａ、１６ｂは、上下に並んで配されている。すなわち、２つの表示枠１６ａ、１６ｂはタッチパネル２０の画面２０ａの上側から下側に向かって列状に配列されている。
【０１０６】
表示枠１６ａ及び表示枠１６ｂには、互いに異なるコンテンツ画像が表示され得る。例えば、図１０の例のように、上側の表示枠１６ａには、アプリケーションプログラム１３Ａが実行されることによって生成されたコンテンツ画像が表示され得る。また、下側の表示枠１６ｂには、アプリケーションプログラム１３Ｂが実行されることによって生成されたコンテンツ画像が表示され得る。
【０１０７】
画面２０ａの右側には、コンテンツ表示領域１６に隣接する地図表示領域１７が配されている。すなわち、画面２０ａには、境界ＢＯを境に左側にコンテンツ表示領域１６が表示され右側に地図表示領域１７が表示されている。
【０１０８】
地図表示領域１７には、地図画像が表示されている。また、地図表示領域１７には、現在地から目的地までの経路が表示されていてもよい。
【０１０９】
地図表示領域１７のコンテンツ表示領域１６との境界ＢＯの近傍には、地図画像の縮尺を低くする広域アイコン画像１８ａ及び地図画像の縮尺を高くする詳細アイコン画像１８ｂが表示されている。
【０１１０】
地図表示領域１７のコンテンツ表示領域１６の境界ＢＯの近傍には、情報表示装置１０の周辺で発生している事故や通行規制の内容などを示す文字情報を、地図表示領域１７上に表示させる渋滞アイコン１８ｃが表示されている。
【０１１１】
ユーザは、これらのアイコン画像１８ａ乃至１８ｃを例えば、タップするタッチ操作を行うことにより、これらのアイコン画像１８ａ乃至１８ｃの機能を発揮させることができる。すなわち、これらのアイコン画像１８ａ乃至１８ｃは、地図画像に対するユーザからの入力操作を受け付ける第１アイコン画像１８として機能する。また、制御部１４は、地図画像に対するユーザからのタッチ操作、すなわち第２入力操作を受け付ける入力操作受付部として機能する。
【０１１２】
地図表示領域１７の下端側には、情報表示装置１０の現在位置の広域地名を表示する地名表示アイコン画像１９ａが表示されている。地名表示アイコン画像１９ａは、地図画像に関連する関連情報を文字情報によって表示する。例えば、地名表示アイコン１９ａは、地図表示領域１７上において「東京都〇〇区」のように広域地名を文字情報によって表示する。すなわち、地名表示アイコン画像１９ａは、地図画像に関連する広域地名を文字情報として表示する。
【０１１３】
本図において地名表示アイコン画像１９ａは、画面２０ａの左右方向に延びる帯状の形態を有している。地名表示アイコン画像１９ａは、画面２０ａの左右方向の長さが可変であり、本図においては第１の既定アイコンサイズで表示されている。
【０１１４】
地名表示アイコン画像１９ａは、第１アイコン画像１８とは異なり、地図画像に対するユーザからのタッチ操作を受け付けない。例えば、ユーザは、地名表示アイコン画像１９ａにタップするタッチ操作を行っても、地図画像の表示態様が変更されない。
【０１１５】
地名表示アイコン画像１９ａのように、地図画像に対するユーザからのタッチ操作、すなわち第２入力操作を受け付けず、地図画像に関連する関連情報を表示するアイコン画像を第２アイコン画像１９とする。
【０１１６】
すなわち、制御部１４は、地図表示領域１７に地図画像を第１アイコン画像１８及び第２アイコン画像１９と共に表示する第２表示制御部として機能する。
【０１１７】
本実施例の情報表示装置１０においては、タッチパネル２０に対するユーザによるタッチ操作によって、境界ＢＯが左右方向に移動することでコンテンツ表示領域１６の大きさが変化する。具体的には、例えば、ユーザの指による左右方向のスワイプ操作に応じて、境界ＢＯが左右方向に移動することでコンテンツ表示領域１６の大きさが変化する。コンテンツ表示領域１６の大きさは、スワイプ操作に追従して逐次変化する。
【０１１８】
このユーザの指による左右方向のスワイプ操作に応じて地名表示アイコン画像１９ａの大きさが変化する。具体的には、地名表示アイコン画像１９ａの大きさは、コンテンツ表示領域１６の大きさに応じて変更される。
【０１１９】
本実施例においては、画面２０ａの左側にコンテンツ表示領域１６があるので、例えば、ユーザが右方向に向かって指ＰＦをスワイプするタッチ操作を行うと、境界ＢＯが右に移動してコンテンツ表示領域１６が拡大される。具体的には、例えば、ユーザがコンテンツ表示領域１６と地図表示領域１７との境界を跨ぐように右方向に指ＰＦをスワイプすると、コンテンツ表示領域１６が拡大させられる。言い換えれば、ユーザがコンテンツ表示領域１６と地図表示領域１７との境界を跨ぐように右方向に指ＰＦをスワイプすると、地図表示領域１７の大きさが縮小させられる。
【０１２０】
また、ユーザが左方向に向かって指ＰＦをスワイプするタッチ操作を行うと、境界ＢＯが右に移動してコンテンツ表示領域１６が縮小される。具体的には、例えば、ユーザがコンテンツ表示領域１６と地図表示領域１７との境界を跨ぐように左方向に指ＰＦをスワイプすると、コンテンツ表示領域１６が縮小させられる。言い換えれば、ユーザがコンテンツ表示領域１６と地図表示領域１７との境界を跨ぐように左方向に指ＰＦをスワイプすると、地図表示領域１７の大きさが拡大させられる。すなわち、ユーザが左右方向に向かって指ＰＦをスワイプするタッチ操作は、コンテンツ表示領域を拡大又は縮小するための第１入力操作である。
【０１２１】
２つの表示枠１６ａ，１６ｂのサイズは、コンテンツ表示領域１６の拡大又は縮小に伴って画面２０ａの左右方向に拡大又は縮小される。また、２つの表示枠１６ａ，１６ｂに表示されている地名表示アイコン画像１９ａは、表示枠１６ａ，１６ｂの拡大又は縮小に伴って、そのサイズが拡大又は縮小される。尚、表示枠１６ａ、１６ｂの拡大又は縮小に伴って、コンテンツ画像の表示態様が変化させられてもよい。
【０１２２】
また、地図表示領域１７のサイズも、コンテンツ表示領域１６の拡大又は縮小に伴って画面２０ａの左右方向に拡大又は縮小される。さらに、コンテンツ表示領域１６の拡大又は縮小に伴って地名表示アイコン画像１９ａのサイズも、コンテンツ表示領域１６の拡大又は縮小に伴って画面２０ａの左右方向に拡大又は縮小される。
【０１２３】
尚、第１アイコン画像１８は、地図表示領域１７のサイズの変更に追従して画面２０ａ上の表示位置が変更されるが、コンテンツ表示領域１６の拡大又は縮小に伴う画面２０ａの左右方向の拡大又は縮小はされない。
【０１２４】
図１１は、タッチパネル２０の画面２０ａの表示態様の一例を示している。図１１に示すように、コンテンツ表示領域１６は、上記第１の既定サイズよりも大きい第２の既定サイズで表示されている。
【０１２５】
例えば、表示態様の図１０の態様から図１１の態様への変化、すなわちコンテンツ表示領域１６の第１の既定サイズから第２の既定サイズへの変化は、指ＰＦの右方向へのスワイプ操作によって生起させられる。また、その逆の変化は、例えば、指ＰＦの左方向へのスワイプ操作によって生起させられる。
【０１２６】
図１１において、地名表示アイコン画像１９ａは、上記第１の既定アイコンサイズよりも画面２０ａの左右方向の長さが短い第２の既定アイコンサイズで表示されている。また、地名表示アイコン画像１９ａに表示されている地名は「東京都」のみとなっている。従って、第２の既定アイコンサイズにおいて表示されている関連情報の文字数は、第１の既定アイコンサイズに表示されている関連情報の文字数よりも少ない。すなわち、地名表示アイコン画像１９ａが縮小されることに伴って、地名表示アイコン画像１９ａに表示される関連情報の文字数が減少されるレイアウト変更がなされている。
【０１２７】
図１２は、タッチパネル２０の画面２０ａの表示態様の一例を示している。図１２においては、コンテンツ表示領域１６が画面２０ａに表示されないクローズ表示が示されている。従って、画面２０ａには、地図表示領域１７のみが表示されている。
【０１２８】
例えば、表示態様の図１０の態様から図１２の態様への変化、すなわちコンテンツ表示領域１６の第１の既定サイズからクローズ表示への変化は、指ＰＦの左方向へのスワイプ操作によって生起させられる。また、その逆の変化は、例えば、指ＰＦの右方向へのスワイプ操作によって生起させられる。
【０１２９】
コンテンツ表示領域１６は、指ＰＦによる操作中を除き、図１０において示した第１の既定サイズ、図１１において示した第２の既定サイズ及び図１２において示したクローズ表示の３つの態様でタッチパネル２０の画面２０ａに表示される。同様に、地図表示領域１７も、図１０、図１１及び図１２において示した３つの態様でタッチパネル２０の画面２０ａに表示される。
【０１３０】
すなわち、コンテンツ表示領域１６は、指ＰＦによる操作中を除き、予め決められた３つの表示態様のみで表示される。言い換えれば、境界ＢＯは、指ＰＦによる操作中を除き、図１０、図１１及び図１２において示した３つの位置のいずれかにある。
【０１３１】
コンテンツ表示領域１６がどの既定の表示態様で表示されるかは、タッチ操作が終了した際のコンテンツ表示領域１６の大きさに応じて行われる。言い換えれば、境界ＢＯは、タッチ操作の終了後、タッチ操作が終了した際の境界ＢＯの位置によって決まる既定の位置に持ち来され、それによってコンテンツ表示領域１６が既定の表示態様になされる。
【０１３２】
また図１２において、地名表示アイコン画像１９ａは、上記第１の既定アイコンサイズで表示されている。また、地名表示アイコン画像１９ａに表示されている地名は「東京都○○区」となっている。従って、第１の既定アイコンサイズにおいて表示されている関連情報の文字数は、第２の既定アイコンサイズに表示されている関連情報の文字数よりも多い。
【０１３３】
例えば第２の既定アイコンサイズから第１の既定アイコンサイズに変更される場合は、地名表示アイコン画像１９ａが拡大される。すなわち、地名表示アイコン画像１９ａが拡大されることに伴って、地名表示アイコン画像１９ａに表示される関連情報の文字数が増加されるレイアウト変更がなされている。
【０１３４】
図１３を用いてタッチ操作の終了後の既定の表示態様がどのように決まるかについての例を説明する。図１３には、第２アイコン画像１９すなわち地名表示アイコン画像１９ａが第１の既定アイコンサイズの状態を示している。また、図１３には、地名表示アイコン画像１９ａがどの既定のサイズになるかの基準となるボーダーラインＢＲ１及びＢＲ２が示されている。
【０１３５】
上述したように、指ＰＦをスライドさせるタッチ操作（以下、スライド操作とする）によって境界ＢＯが移動する。本実施例の情報表示装置１０では、スライド操作の終了時に、すなわち指ＰＦが画面から離れた際に、境界ＢＯがボーダーラインＢＲ１及びＢＲ２に対してどの位置にあるかによって、コンテンツ表示領域１６がどの既定の表示態様になるかが決まる。
【０１３６】
例えば、スライド操作の終了時に境界ＢＯがボーダーラインＢＲ１よりも右にある場合、コンテンツ表示領域１６の表示態様は第２の既定サイズに決まる。
【０１３７】
例えば、スライド操作の終了時に境界ＢＯがボーダーラインＢＲ１とボーダーラインＢＲ２の間にある場合、コンテンツ表示領域１６の表示態様は第１の既定サイズに決まる。
【０１３８】
例えば、スライド操作の終了時に境界ＢＯがボーダーラインＢＲ２よりも左にある場合、コンテンツ表示領域１６の表示態様はクローズ表示に決まる。
【０１３９】
地名表示アイコン画像１９ａの大きさは、コンテンツ表示領域１６の大きさに応じて変更される。すなわち、境界ＢＯがボーダーラインＢＲ１及びＢＲ２に対してどの位置にあるかによって、地名表示アイコン画像１９ａがどの既定の表示態様になるかが決まる。
【０１４０】
例えば、コンテンツ表示領域１６が第１の既定サイズ及びクローズ表示である場合、地名表示アイコン画像１９ａの表示態様は、第１の既定アイコンサイズに決まる。また、コンテンツ表示領域１６が第２の既定サイズである場合、地名表示アイコン画像１９ａの表示態様は、第２の既定アイコンサイズに決まる。
【０１４１】
従って、制御部１４は、画面２０ａのコンテンツ表示領域を拡大又は縮小するためのタッチ操作に基づき、第２アイコン画像１９の表示形態を変更するための第１表示形態処理を行う表示形態処理部として機能する。
【０１４２】
以上のように、ユーザのタッチ操作が終了した際のコンテンツ表示領域１６の大きさに基づいて地名表示アイコン画像１９ａが拡大又は縮小されることによって、ユーザによって行われたタッチ操作の意図を反映させた表示態様で表示させることが可能となる。
【０１４３】
また、地名表示アイコン画像１９ａの表示態様の変更は、上記で説明した態様に限られるものではない。
【０１４４】
これらのいずれかの地名表示アイコン画像１９ａの表示態様は、予め設定されていてもよく、また、いずれかの表示態様をユーザが任意に選択するようにしてもよい。
【０１４５】
図１４は、情報表示装置１０による情報表示処理Ｒ１を示している。図１４に示すように、アプリケーションプログラム１３Ａ及びアプリケーションプログラム１３Ｂが実行されると、制御部１４は、各アプリケーションプログラム１３Ａ及びアプリケーションプログラム１３Ｂを起動する（ステップＳ４０１）。
【０１４６】
制御部１４は、スッテプＳ４０１において起動された各アプリケーションプログラム１３Ａ及びアプリケーションプログラム１３Ｂが実行されることによって生成されたコンテンツ画像を表示枠１６ａ、１６ｂに表示させる。また、制御部１４は、地図表示領域１７に地図画像並びに第１アイコン画像１８及び第２アイコン画像１９を表示させる（ステップＳ４０２）。従って、制御部１４は、複数のコンテンツを表示するコンテンツ表示領域１６を含む表示を画面２０ａに表示させる第１表示制御部として機能する。また、制御部１４は、地図表示領域１７に地図画像を複数のアイコン画像と共に表示する第２表示制御部として機能する。
【０１４７】
画面２０ａのコンテンツ表示領域１６において、ユーザのスワイプするタッチ操作が行われると、制御部１４は、地図表示領域１７に表示される第２アイコン画像１９のサイズを変更する（ステップＳ４０３）。すなわち、第２アイコン画像１９は、ユーザのタッチ操作に伴って拡大又は縮小されることが可能である。従って、制御部１４は、画面２０ａのコンテンツ表示領域を拡大又は縮小するためのタッチ操作に基づき、第２アイコン画像１９の表示形態を変更するための第１表示形態処理を行う表示形態処理部として機能する。
【０１４８】
制御部１４は、自動車Ｍのエンジンが停止したかを判定する（ステップＳ４０４）。制御部１４は、ステップＳ４０４の判定において自動車Ｍのエンジンが停止していないと判定した場合（ステップＳ４０４：Ｎ）、ステップＳ４０３のアイコン画像サイズ変更処理に戻る。
【０１４９】
制御部１４は、ステップＳ４０４の判定において自動車Ｍのエンジンが停止したと判定した場合（ステップＳ４０４：Ｙ）、画面２０ａにおける表示を終了し（ステップＳ４０５）、各アプリケーションプログラム１３Ａ及びアプリケーションプログラム１３Ｂを終了する（ステップＳ４０６）。
【０１５０】
図１５は、ステップＳ４０３の第２のコンテンツ画像のサイズを変更するサブルーチンＲ２を示している。図１５に示すように、制御部１４は、ユーザによるスライド操作があったか否かを判定する（ステップＳ５０１）。ステップＳ５０１の判定において、制御部１４は、コンテンツ表示領域１６を拡大又は縮小させるためのタッチ操作、すなわち、左右方向にスライド操作がなされたか否かを判定する。
【０１５１】
制御部１４は、ステップＳ５０１の判定において、ユーザによるスライド操作がなかったと判定した場合（ステップＳ５０１：Ｎ）、処理を終了する。
【０１５２】
制御部１４は、ステップＳ５０１の判定において、ユーザによるスライド操作があったと判定した場合（ステップＳ５０１：Ｙ）、当該スライド操作を受け付ける。その際、制御部１４は、スライド操作に追従してコンテンツ表示領域１６及び地図表示領域１７を拡大又は縮小させる。このように、制御部１４は、画面２０ａに対してなされるタッチ操作を受け付ける入力操作受付部として機能する。
【０１５３】
制御部１４は、受け付けたスライド操作が終了したか否かを判定する（ステップＳ５０２）。例えば、制御部１４は、ユーザの指ＰＦが画面２０ａから離れたことに基づいて、スライド操作が終了したことを判定する。尚、制御部１４は、ステップＳ５０２の判定において受け付けたスライド操作が終了していないと判定した場合（ステップＳ５０２：Ｎ）、受け付けたスライド操作が終了するまで、ステップＳ５０２の判定を行う。
【０１５４】
制御部１４は、ステップＳ５０２の判定において受け付けたスライド操作が終了したと判定した場合（ステップＳ５０２：Ｙ）、タッチ操作の最中のコンテンツ表示領域１６の拡大又は縮小が終了する。
【０１５５】
スライド操作が終了した際の境界ＢＯの位置、すなわち、タッチ操作の最後の画面２０ａ上の境界ＢＯの位置がボーダーラインＢＲ１よりも右であるか否かを判定する（ステップＳ５０３）。
【０１５６】
制御部１４は、ステップＳ５０３において、境界ＢＯの位置がボーダーラインＢＲ１よりも右であると判定した場合（ステップＳ５０３：Ｙ）、アイコン画像を地図表示領域のサイズ変更に追従させつつ第２の既定アイコンサイズにさせる（ステップＳ５０４）。従って、制御部１４は、第１表示形態処理としてアイコン画像の縮小処理を行う表示形態処理部として機能する。
【０１５７】
制御部１４は、アイコン画像に示されている関連情報のレイアウトの変更を行う（ステップＳ５０５）。具体的には、制御部１４は、アイコン画像に関連情報の文字情報の文字数を減少させる。例えば、制御部１４は、地名表示アイコン画像１９ａの関連情報が「東京都○○区」である文字情報である場合、地名表示アイコン１９ａに表示させる文字情報を「東京都」に変更する。また、制御部１４は、制御部１４は、境界ＢＯの移動に第１アイコン画像１８の表示位置を追従させて変更する。すなわち、制御部１４は、画面２０ａの左右方向に沿って第１アイコン画像１８をスライド移動させる。
【０１５８】
制御部１４は、ステップＳ５０３において、境界ＢＯの位置がボーダーラインＢＲ１よりも左であると判定した場合（ステップＳ５０３：Ｎ）、スライド操作が終了した際の境界ＢＯの位置、すなわち、タッチ操作の最後の画面２０ａ上の境界ＢＯの位置がボーダーラインＢＲ２よりも左であるか否かを判定する（ステップＳ５０６）。
【０１５９】
制御部１４は、ステップＳ５０６において、境界ＢＯの位置がボーダーラインＢＲ２よりも左であると判定した場合（ステップＳ５０６：Ｙ）、アイコン画像を地図表示領域のサイズ変更に追従させつつ第１の既定アイコンサイズにさせる（ステップＳ５０７）。従って、制御部１４は、第１表示形態処理としてアイコン画像の縮小処理を行う表示形態処理部として機能する。
【０１６０】
制御部１４は、アイコン画像に示されている関連情報のレイアウトの変更を行う（ステップＳ５０８）。具体的には、制御部１４は、アイコン画像に関連情報の文字情報の文字数を増加させる。例えば、制御部１４は、地名表示アイコン画像１９ａの関連情報が「東京都」である文字情報である場合、地名表示アイコン１９ａに表示させる文字情報を「東京都○○区」に変更する。また、制御部１４は、制御部１４は、境界ＢＯの移動に第１アイコン画像１８の表示位置を追従させて変更する。すなわち、制御部１４は、画面２０ａの左右方向に沿って第１アイコン画像１８をスライド移動させる。
【０１６１】
制御部１４は、ステップＳ５０６において、境界ＢＯの位置がボーダーラインＢＲ２よりも右であると判定した場合（ステップＳ５０６：Ｎ）、アイコン画像を地図表示領域のサイズ変更に追従させつつ第１の既定アイコンサイズにさせる（ステップＳ５０９）。従って、制御部１４は、第１表示形態処理としてアイコン画像の縮小処理を行う表示形態処理部として機能する。
【０１６２】
制御部１４は、アイコン画像に示されている関連情報のレイアウトの変更を行う（ステップＳ５１０）。具体的には、制御部１４は、アイコン画像に関連情報の文字情報の文字数を増加させる。例えば、制御部１４は、地名表示アイコン画像１９ａの関連情報が「東京都」である文字情報である場合、地名表示アイコン１９ａに表示させる文字情報を「東京都○○区」に変更する。また、制御部１４は、制御部１４は、境界ＢＯの移動に第１アイコン画像１８の表示位置を追従させて変更する。すなわち、制御部１４は、画面２０ａの左右方向に沿って第１アイコン画像１８をスライド移動させる。
【０１６３】
尚、本実施例においては、アイコン画像は、第１の既定アイコンサイズ及び第２の既定アイコンサイズの２つの表示サイズでタッチパネル２０の画面２０ａで表示されることを説明した。しかし、アイコン画像は、２つの表示態様に限定されない。例えば、第１の既定アイコンサイズ及び第２の既定アイコンサイズの間に既定のアイコンサイズを設けて表示態様を増加して実施してもよい。
【０１６４】
また、本実施例においては、アイコン画像がどの既定の表示態様で表示されるかは、タッチ操作が終了した際の境界ＢＯの位置によって決めた。しかし、アイコン画像がどの既定の表示態様で表示されるかは、自由に設定することが可能である。例えば、ユーザのスライド操作のスライド量に応じて、アイコン画像がどの既定の表示態様で表示されるかを決めてもよい。
【０１６５】
以上のように、本実施例による情報表示装置１０は、コンテンツ表示領域１６がタッチパネル２０の画面２０ａで拡大又は縮小される際に、ユーザのスライド操作が終了した際のコンテンツ表示領域１６の大きさに基づいて第２アイコン画像１９の拡大又は縮小を行う。
【０１６６】
したがって、第２アイコン画像１９が拡大又は縮小されることにより、ユーザが所望するアイコン画像を適切なサイズで容易に表示することが可能となる。特に、情報表示装置１０が自動車等の移動体に搭載される場合、ユーザが地図情報の縮尺の変更等の第１アイコン画像１８を操作する可能性は、第２アイコン画像１９をユーザが注視する可能性よりも高い。このように、第２アイコン画像１９のみを拡大又は縮小を行うことによって、情報表示装置１０の操作性を維持しつつ、ユーザによって行われたタッチ操作の意図を反映させた表示を拡大又は縮小することが可能となる。
【０１６７】
それ故、本実施例に係る情報表示装置１０によれば、ユーザは、タッチパネル２０の画面２０ａを注視することなく、容易に第２アイコン画像１９を拡大又は縮小させる操作を行うことが可能となる。
【符号の説明】
【０１６８】
１０  情報表示装置
１４  制御部
１６  コンテンツ表示領域
２０  タッチパネル
２０ａ  画面
【図１】
2020135627.tif 000003
【図２】
2020135627.tif 000004
【図３】
2020135627.tif 000005
【図４】
2020135627.tif 000006
【図５】
2020135627.tif 000007
【図６】
2020135627.tif 000008
【図７】
2020135627.tif 000009
【図８】
2020135627.tif 000010
【図９】
2020135627.tif 000011
【図１０】
2020135627.tif 000012
【図１１】
2020135627.tif 000013
【図１２】
2020135627.tif 000014
【図１３】
2020135627.tif 000015
【図１４】
2020135627.tif 000016
【図１５】
2020135627.tif 000017